(57)【要約】【課題】任意の画像信号装置の表示画面上の画像を無線ＬＡＮを介して拡大投射を行うアクセスポイント機能並びにクライアント機能を有する無線プロジェクタにおいて、所望の無線ネットワーク網が構成できない場合が生じるといった従来の問題点を解決し、確実に所望の無線ネットワーク網を構築可能とすることを目的とする。【解決手段】入力手段２８から入力された画像信号装置と無線プロジェクタとの接続構成の情報に基づいて、アクセスポイント機能部２４とクライアント機能部２５とを切り替える切替手段２３を制御する制御手段２６と、切替手段２３により切り替えられた機能部(２４，２５)に従って特定の無線ＬＡＮを構築する無線通信処理手段２２と、を備えたことを特徴とする無線プロジェクタ。【選択図】図２
2010187168.tif 000002
【特許請求の範囲】
【請求項１】
画像信号装置が有する表示画面上の画像を任意の無線ＬＡＮを介して拡大投射する無線プロジェクタであって、
前記無線プロジェクタをアクセスポイントとして機能させることが可能なアクセスポイント機能部と、
前記無線プロジェクタをクライアントとして機能させることが可能なクライアント機能部と、
入力手段から入力された前記画像信号装置と前記無線プロジェクタとの接続構成の情報に基づいて、前記アクセスポイント機能部と前記クライアント機能部とを切り替える切替手段を制御する制御手段と、
前記切替手段により切り替えられた機能部に従って特定の無線ＬＡＮを構築する無線通信処理手段とを備えたことを特徴とする無線プロジェクタ。
【請求項２】
接続構成の情報が、画像信号装置と無線プロジェクタの接続構成比であって、画像信号装置１台に対して無線プロジェクタ複数台の場合、
制御部は、切替手段をクライアント機能部に切り替える制御をすることを特徴とする請求項１記載の無線プロジェクタ。
【請求項３】
接続構成の情報が、画像信号装置と無線プロジェクタの接続構成比であって、画像信号装置１台に対して無線プロジェクタ１台の場合、または、画像信号装置複数台に対して無線プロジェクタ１台の場合、
制御部は、切替手段をアクセスポイント機能部に切り替える制御をすることを特徴とする請求項１記載の無線プロジェクタ。
【請求項４】
制御手段は、初期値としてアクセスポイント機能部に切り替えるように切替手段を制御することを特徴とする請求項１乃至請求項３記載の無線プロジェクタ。
【請求項５】
制御手段は、無線通信処理手段が有する固有の識別情報をもとに任意の情報を生成し、その生成した情報を無線プロジェクタから投射するＯＳＤ表示手段を制御することを特徴とする請求項１乃至請求項４記載の無線プロジェクタ。
【発明の詳細な説明】
【技術分野】
【０００１】
本発明は、任意の無線ＬＡＮを介してパソコンに代表される画像信号装置の表示画面上の画像を拡大投射するアクセスポイント機能及びクライアント機能を共に有する無線プロジェクタに関するものである。
【背景技術】
【０００２】
近年、ＲＧＢケーブルを使用せずに、ネットワーク網（特に無線ＬＡＮ）を介してパソコンの表示画面上の画像を拡大投射する無線プロジェクタが急速に広まっている。また、パソコンと無線プロジェクタの接続構成として、１対１の関係で接続される形態は勿論のこと、複数台のパソコンの画面を１台の無線プロジェクタに同時に並べて拡大投射する接続構成や、１台のパソコンの画面を複数台の無線プロジェクタに各々拡大投射する接続構成など、用途に応じて様々な接続構成が存在している。
【０００３】
以下に従来の無線プロジェクタについて説明する。
【０００４】
従来、無線プロジェクタは、特開２００６−３５２１８８号公報（特許文献１）に記載されたものが知られている。この動作説明図を図６に示す。図６において、１００は無線ＬＡＮを有するパソコンに代表される画像信号装置、２００及び３００はアクセスポイント機能及びクライアント機能を共に有する無線プロジェクタ、１０１は画像信号装置１００が有する無線ＬＡＮの無線到達範囲、２０１は無線プロジェクタ２００が有する無線ＬＡＮの無線到達範囲、３０１は無線プロジェクタ３００が有する無線ＬＡＮの無線到達範囲である。
【０００５】
画像信号装置１００の表示画面上の画像を無線プロジェクタ２００及び３００に任意の無線ＬＡＮを介して同時に拡大投射する用途において、まず、画像信号装置１００と無線プロジェクタ２００及び無線プロジェクタ３００との間で同一の無線ＬＡＮを構築する必要がある。一般的に、一つの無線ＬＡＮの中にはアクセスポイント機能で動作する機器は複数台存在できないため、無線プロジェクタ２００及び無線プロジェクタ３００が共にアクセスポイント機能で動作してはならない。そこで、各無線プロジェクタは無線到達範囲内に同一のＥＳＳＩＤを有する無線プロジェクタを検知した場合、該無線ＬＡＮの中において、アクセスポイント機能で動作する無線プロジェクタが唯一となるように無線プロジェクタ間で通信を行う（特許文献１：段落番号「０００９」「００１０」）。
【特許文献１】特開２００６−３５２１８８号公報
【発明の開示】
【発明が解決しようとする課題】
【０００６】
しかしながら上記の従来の構成では、図７に示すように、画像信号装置１００の無線到達範囲１０１内に無線プロジェクタ２００及び無線プロジェクタ３００の無線到達範囲が各々含まれるが、無線プロジェクタ２００の無線到達範囲２０１と無線プロジェクタ３００の無線到達範囲３０１とが重複しない位置関係で各機器が設置された場合、各無線プロジェクタは同一のＥＳＳＩＤを有する他の無線プロジェクタを検知できないため、無線プロジェクタ２００及び無線プロジェクタ３００は共にアクセスポイント機能で動作を行う。即ち、無線プロジェクタ２００及び無線プロジェクタ３００は同一のＥＳＳＩＤを有しながらも別々の無線ＬＡＮを構築することとなる。画像信号装置１００はアクセスポイント機能で動作する複数台の無線プロジェクタに対し同時に接続することはできないため、所望の無線ＬＡＮが構築できないという課題を有していた。
【０００７】
１台の画像信号装置の表示画面上の画像を複数台のプロジェクタに同時に拡大投射する接続構成は、例えば、１００インチ以上の大画面で拡大投射するプロジェクタでも１台では会場に参加している一部の視聴者からはその拡大投射された画像を視聴することが困難となる大ホールやイベント会場など比較的大きなスペースで採用される。従って、図７に示した各装置の設置位置関係は特殊な場合ではなく、一般的に存在する。
【０００８】
また、図８に示すように、隣接した会議室Ａと会議室Ｂにおいて、無線プロジェクタに搭載された無線ＬＡＮの無線到達範囲が重複する位置関係に各会議室の無線プロジェクタが各々設置されることにより、各無線プロジェクタが同一のＥＳＳＩＤを有する他の無線プロジェクタを検知可能な場合、上記従来の構成では、所望の無線ＬＡＮを構築できないという課題を有していた。例えば、会議室Ｂにおいて、画像信号装置４００の表示画面上の画像を任意の無線ＬＡＮを介して無線プロジェクタ３００から拡大投射を行って無線プロジェクタ３００を使用している時、無線プロジェクタ３００は、画像信号装置４００との１対１の接続構成のため、アクセスポイント機能で動作を行っている。
【０００９】
ここで、会議室Ｂに隣接した会議室Ａにおいて、無線プロジェクタ２００の電源を投入すると、無線プロジェクタ２００は無線到達範囲２０１内に同一のＥＳＳＩＤを有する無線プロジェクタ３００を検知し、所定の条件に従い、無線プロジェクタ３００の無線ＬＡＮ機能をアクセスポイント機能からクライアント機能に変更させる可能性がある。このように、無線プロジェクタ３００がアクセスポイント機能からクライアント機能に強制的に切り替わった場合、画像信号装置４００からみると、急にアクセスポイントとして接続していた無線プロジェクタ３００との接続が遮断されることになり、その結果、無線プロジェクタ３００から画像信号装置４００の表示画面上の画像を拡大投射することができないという課題を有していた。
【００１０】
企業の会議室や文教市場の学校現場では、図８に示すように、壁一枚をはさんで隣接した部屋で背中合わせに無線プロジェクタを設置する場合があり、このような時、上記従来の構成では不具合が生じていた。
【００１１】
本発明は上記従来の課題を解決するもので、画像信号装置と無線プロジェクタとの接続構成を無線プロジェクタが検知することにより、確実に所望の無線ＬＡＮを構築可能とする無線プロジェクタを提供することを目的とする。
【課題を解決するための手段】
【００１２】
本願弟１の発明は、画像信号装置が有する表示画面上の画像を任意の無線ＬＡＮを介して拡大投射する無線プロジェクタであって、前記無線プロジェクタをアクセスポイントとして機能させることが可能なアクセスポイント機能部と、前記無線プロジェクタをクライアントとして機能させることが可能なクライアント機能部と、入力手段から入力された前記画像信号装置と前記無線プロジェクタとの接続構成の情報に基づいて、前記アクセスポイント機能部と前記クライアント機能部とを切り替える切替手段を制御する制御手段と、前記切替手段により切り替えられた機能部に従って特定の無線ＬＡＮを構築する無線通信処理手段と、を備えたことを特徴とする無線プロジェクタである。
【００１３】
本願第２の発明は、前記第１の発明において、接続構成の情報が、画像信号装置と無線プロジェクタの接続構成比であって、画像信号装置１台に対して無線プロジェクタ複数台の場合、制御部は、切替手段をクライアント機能部に切り替える制御をすることを特徴とする無線プロジェクタである。
【００１４】
本願第３の発明は、前記第１の発明において、接続構成の情報が、画像信号装置と無線プロジェクタの接続構成比であって、画像信号装置１台に対して無線プロジェクタ１台の場合、または、画像信号装置複数台に対して無線プロジェクタ１台の場合、制御部は、切替手段をアクセスポイント機能部に切り替える制御をすることを特徴とする無線プロジェクタである。
【００１５】
本願第４の発明は、前記第１乃至弟３の発明において、制御手段は、初期値としてアクセスポイント機能部に切り替えるように切替手段を制御することを特徴とする無線プロジェクタである。
【００１６】
本願第５の発明は、前記第１乃至弟４の発明において、制御手段は、無線通信処理手段が有する固有の識別情報をもとに任意の情報を生成し、その生成した情報を無線プロジェクタから投射するＯＳＤ表示手段を制御することを特徴とする無線プロジェクタである。
【発明の効果】
【００１７】
以上のように本発明は、画像信号装置と無線プロジェクタとの接続構成を検知する手段を備えることにより、検知した接続構成の情報に従い、無線プロジェクタの無線ＬＡＮをアクセスポイント機能とするかクライアント機能とするかを選択することで、所望の無線ＬＡＮを容易に構築する優れた効果が得られる。
【００１８】
特に、画像信号装置の表示画面上の画像を複数台の無線プロジェクタに同時に拡大投射する接続構成において、従来の構成では、画像信号装置と各無線プロジェクタの設置位置関係により同一のＥＳＳＩＤを有する複数のアクセスポイントが画像信号装置から検出され、所望の無線ＬＡＮが確立しなかった課題を、本構成により、いかなる接続構成においても最適な無線ＬＡＮを構築する優れた効果が得られる。
【００１９】
また、無線プロジェクタ毎に固有の識別情報を有し、その識別情報を該無線プロジェクタから投射可能とすることにより、画像信号装置の表示画面上の画像を所望の無線プロジェクタに迷うことなく選択可能とする優れた効果が得られる。
【発明を実施するための最良の形態】
【００２０】
以下、本発明の実施の形態について、図１から図５を用いて説明する。
【００２１】
（実施の形態１）
図１は本発明の無線プロジェクタを使用したシステム構成図である。
【００２２】
図１において、１は、無線ＬＡＮを搭載したパソコンに代表される画像信号装置、２及び３は、無線ＬＡＮのアクセスポイントとして動作することが可能なアクセスポイント機能部と無線ＬＡＮのクライアントとして動作することが可能なクライアント機能部を共に有する無線プロジェクタ、１１は、画像信号装置１に搭載された無線ＬＡＮの無線到達範囲、２１及び３１は、無線プロジェクタ２及び無線プロジェクタ３に搭載された各無線ＬＡＮの無線到達範囲である。ここで、各無線到達範囲１１及び２１及び３１において、円が交わっている範囲は、各無線機器の通信が可能であることを示す。即ち、図１において、無線到達範囲１１及び２１は交わっているため、画像信号装置１と無線プロジェクタ２は無線通信可能であるが、無線到達範囲２１及び３１は交わっていないため、無線プロジェクタ２と無線プロジェクタ３は無線通信が不可能な状態であることを示す。
【００２３】
図２は、無線プロジェクタ２及び無線プロジェクタ３の内部構成図である。図２において、２４は、無線ＬＡＮのアクセスポイントとして動作することが可能なアクセスポイント機能部、２５は、無線ＬＡＮのクライアントとして動作することが可能なクライアント機能部、２３は、アクセスポイント機能部２４とクライアント機能部２５を切り替える切替手段、２２は、切替手段２３により選択された無線ＬＡＮの機能に従って他の無線ＬＡＮ装置との通信を行う無線通信処理手段、２８は、無線プロジェクタに対し任意の命令を外部より入力するリモコンに代表される入力手段、２６は、入力手段２８により入力された命令に従い切替手段２３を制御する制御手段、２７は、無線プロジェクタが有する固有の情報を元に生成した識別情報を無線プロジェクタより投射するＯＳＤ表示手段である。
【００２４】
以上のように構成された無線プロジェクタシステムについて、図３を用いてその動作を以下に説明する。
【００２５】
一般的に、画像信号装置を無線プロジェクタに任意の無線ＬＡＮを介して接続する場合、大きく２つの方法がある。一方は汎用のアクセスポイント機器経由で接続する方法であり、他方はアクセスポイント機器を経由せず直接接続する方法である。同一の無線ＬＡＮにおいてアクセスポイント機能を有する機器は複数台存在できないため、汎用のアクセスポイント機器を介して接続を行う場合、無線プロジェクタの無線ＬＡＮはクライアント機能となる必要がある。そこで、ＯＳＤ表示手段２７より、無線プロジェクタの接続方法を選択可能とする選択画面を表示し、任意の入力手段２８より接続方法を選択させる（ステップＳ１）。
【００２６】
ステップＳ１において、無線プロジェクタと任意の画像信号装置を汎用のアクセスポイント機器経由で接続する場合、入力手段２８により、アクセスポイント機器経由での接続命令を受信した制御手段２６は、切替手段２３に対し、クライアント機能部２５を選択するように制御を行う（ステップＳ２）。勿論、ステップＳ２において、該無線プロジェクタ及びアクセスポイント機器が共にＷＤＳ（ワイヤレス  ディストリビューション  システム(Ｗｉｒｅｌｅｓｓ  Ｄｉｓｔｒｉｂｕｔｉｏｎ  Ｓｙｓｔｅｍ）)と呼ばれるアクセスポイント機器同士の通信を可能とする手段を備えている場合は、制御手段２６はアクセスポイント機能部２４を選択するように切替手段２３を制御しても構わない。但し、この場合、制御手段２６は無線通信処理手段２２に対し、ＷＤＳ機能を有効にするように制御を行う必要がある。
【００２７】
一方、ステップＳ１において、無線プロジェクタと任意の画像信号装置を汎用のアクセスポイント機器を介して接続しない場合、入力手段２８により、アクセスポイント機器を使用せず直接接続命令を受信した制御手段２６は、切替手段２３に対し、アクセスポイント機能部２４を選択するように制御を行う（ステップＳ３）。アクセスポイント機能で動作を行う無線プロジェクタは、ＥＳＳＩＤ情報を含むビーコンを無線到達範囲内に発信する。画像信号装置１の無線到達範囲１１と無線プロジェクタの無線到達範囲が重畳する位置関係に画像信号装置１が設置されている場合、画像信号装置１は所望のＥＳＳＩＤを含むビーコンを受信可能となる。また、画像信号装置１の表示画面上の画像を前記無線プロジェクタに無線ＬＡＮを介して送信するために、任意のアプリケーションソフトを起動する。アプリケーションソフトを起動した操作者は、前記無線プロジェクタと画像信号装置１との接続構成が、
１）画像信号装置１台  対  無線プロジェクタ１台
２）画像信号装置複数台  対  無線プロジェクタ１台
３）画像信号装置１台  対  無線プロジェクタ複数台
のいずれかであることを前記アプリケーションソフト上で選択する。ここで選択した接続構成の情報を前記ビーコンを発信している無線プロジェクタに対して送信する（ステップＳ４）。
【００２８】
ステップＳ４において、接続構成の情報を受信した無線プロジェクタの無線通信処理手段２２は、その接続構成の情報を制御手段２６に出力する。この接続構成の情報に従い、制御手段２６は切替手段２３を制御し、該無線プロジェクタの無線ＬＡＮをアクセスポイント機能で動作させるかクライアント機能で動作させるかを決定する。具体的には、ステップＳ３において無線プロジェクタはアクセスポイント機能で動作しているため、前記接続構成の情報において、画像信号装置１と無線プロジェクタとの接続構成が、画像信号装置１台対無線プロジェクタ複数台（１：Ｎ接続）の時のみ、制御手段２６は切替手段２３により、クライアント機能部を選択するように制御を行い、その他の接続構成の場合は、切替を行わないように動作を行う（ステップＳ５）。
【００２９】
ステップＳ５において、各接続構成についての制御手段２６の動作仕様について、以下、説明を行う。
【００３０】
まず、画像信号装置１台対無線プロジェクタ１台の接続構成において、制御手段２６は、アクセスポイント機能部２４を選択するように切替手段２３を制御する。一般的に、無線ＬＡＮを使用して１対１で接続する場合、アクセスポイント機能対クライアント機能で接続するインフラストラクチャモード接続と、クライアント機能同士で接続を行うアドホックモード接続の２通りがある。アドホックモード接続の場合、一時的な無線ＬＡＮ接続を前提とした接続構成のため、接続耐性がインフラストラクチャモード接続より低く、外乱により無線ＬＡＮ接続が切断される可能性がインフラストラクチャモード接続に比べて高い。即ち、画像信号装置１台対無線プロジェクタ１台の接続構成の場合、画像信号装置はクライアント機能で動作するため、無線プロジェクタをアクセスポイント機能で動作させることにより、インフラストラクチャモード接続とすることが可能となり、無線ＬＡＮの接続耐性を上げることが可能となる。
【００３１】
次に、画像信号装置複数台対無線プロジェクタ１台の接続構成において、制御手段２６は、アクセスポイント機能部２４を選択するように切替手段２３を制御する。これは、前述と同様に無線ＬＡＮの接続耐性を上げるためにインフラストラクチャモード接続を行うためである。複数台の画像信号装置は、いずれもクライアント機能で動作を行うため、無線プロジェクタがアクセスポイント機能で動作しても同一の無線ＬＡＮにおいてアクセスポイントが重複することが無い。
【００３２】
また、このような接続構成では、複数台の画像信号装置から１台の無線プロジェクタに対してデータ容量が比較的大きい画像データが送信されるため、アドホックモード接続では、無線送信されてきた大容量のデータを一度に処理できない場合が生じ、処理できない画像データは再送信を行わねばならないということを繰り返すことにより無線ＬＡＮの電波が混雑し、無線接続が切断されるという不具合が生じやすいという課題を有していた。しかし、インフラストラクチャモード接続とすることにより、無線プロジェクタに送信されるデータの流れをアクセスポイント機能で動作する無線プロジェクタが管理可能となることにより、無線プロジェクタが処理できないケースの発生確率を大幅に低減でき、無線ＬＡＮの接続耐性を上げることが可能となる。
【００３３】
一方、画像信号装置１台対無線プロジェクタ複数台の接続構成において、制御手段２６は、クライアント機能部２５を選択するように切替手段２３を制御する。無線ＬＡＮの接続耐性を上げるためにはインフラストラクチャモード接続を構築するためにアクセスポイント機能部２４を選択した方が望ましいが、一つの無線ＬＡＮに複数のアクセスポイントが存在できないため、アクセスポイント機能を有する無線プロジェクタが複数台存在した場合、クライアント機能で動作する画像信号装置は、これらの無線プロジェクタの内、１台のみにしか接続ができず、画像信号装置の表示画面上の画像を複数台の無線プロジェクタに投射することができない。このような課題を解決する方法として、特許文献１の技術が開示されている。
【００３４】
しかしながら、図７に示したような設置位置関係において、アクセスポイント機能で動作する無線プロジェクタが複数台存在するために、所望の無線ＬＡＮを構築できないという課題を有していた。ここで、手動により投射対象となる複数台の無線プロジェクタの内の１台をアクセスポイント機能で動作させ、他を全てクライアント機能で動作させることで所望の無線ＬＡＮを構築することは可能となるが、アクセスポイント機能で動作する無線プロジェクタに他のクライアント機能で動作する無線プロジェクタを接続するために、全ての無線プロジェクタのＩＰアドレスやＥＳＳＩＤや無線暗号キーなどを変更せねばならず、非常に煩雑な作業を強いられる。そこで、本発明の構成では、ステップＳ５において、制御手段２６はクライアント機能部２５を選択するように切替手段２３を制御し、画像信号装置との接続をアドホックモード接続とすることにより、所望の無線ＬＡＮが容易に構築可能となる。
【００３５】
この接続構成においては、画像信号装置１のみが、対象となる全無線プロジェクタと無線接続可能な範囲に設置されていればよく、図１のように各無線プロジェクタ同士は無線接続可能な範囲外に設置されていても不具合は生じない。また、画像信号装置１台から複数台の無線プロジェクタに対して同じ画像データを送信するため、受信側である無線プロジェクタの処理が間に合わないということはなく、無線ＬＡＮの電波が混雑し、無線接続が切断される可能性は、上述の画像信号装置複数台対無線プロジェクタ１台の接続構成より大変低い。
【００３６】
また、図４に示したような設置位置関係において、無線プロジェクタ２と無線プロジェクタ３が同一のＥＳＳＩＤを有している場合、各々の無線到達範囲内に存在する画像信号装置１からは、どちらの無線プロジェクタに接続すればよいか迷うという課題が生じる。そこで、入力手段２８から任意の手段により、無線プロジェクタ２からスクリーン４に対し、図５に示すような無線プロジェクタ２の固有の識別情報をＯＳＤ画面上に拡大投射する。スクリーン４上に拡大投射された識別情報と一致する識別情報を有する無線プロジェクタを、画像信号装置１上に起動した任意のアプリケーションソフトより選択することにより、使用者は迷うことなく確実に所望の無線プロジェクタを選択可能となる。無線プロジェクタ２の固有の識別情報は、無線プロジェクタ２から発信されるビーコンに含むことにより、ビーコンを受信した画像信号装置１が検知可能となる。この識別情報は、無線通信処理手段２２に格納されているＭＡＣアドレスから生成することにより、確実に他機器と重複しない情報とすることが可能である。勿論、製品番号固有の製造番号から生成しても同様な効果を得られる。
【００３７】
図５において、ＥＳＳＩＤも同時に無線プロジェクタ２からスクリーン４に対して投射を行っている例を示しているが、ＥＳＳＩＤは無線ＬＡＮごとに異なる情報を付与することが一般的なため、使用者が無線プロジェクタ２の無線ＬＡＮを確認する手助けとなる。また、図５に示すＯＳＤ画面は、無線プロジェクタに対し、有線或いは無線を問わず外部機器と接続されていない時にのみ表示可能とすることで、使用中の無線プロジェクタから、突然、図５に示すようなＯＳＤ画面が表示されるという不具合を回避することが可能となる。このような構成を有することにより、誤接続による課題を容易に解決可能となる。
【００３８】
以上のように本実施の形態によれば、画像信号装置から無線プロジェクタに対して接続構成を送信し、その情報に従って、無線プロジェクタをアクセスポイント機能で動作させるかクライアント機能で動作させるかを選択することにより、確実に所望の無線ＬＡＮを構築可能とする効果が得られる。
【産業上の利用可能性】
【００３９】
本発明にかかる無線プロジェクタは、任意の画像信号装置の表示画面上の画像を無線ＬＡＮを介して無線プロジェクタより拡大投射する場合において、画像信号装置の使用者が、任意のアプリケーションソフトを使用して、画像信号装置と無線プロジェクタとの接続構成を接続情報として該無線プロジェクタに送信し、その接続情報に従って無線プロジェクタがアクセスポイント機能或いはクライアント機能で動作することにより、確実に所望の無線ＬＡＮが構築可能となるという優れた効果を有し、様々な接続構成で使用される無線プロジェクタとして有用である。
【図面の簡単な説明】
【００４０】
【図１】本発明の実施の形態１における無線プロジェクタを使用した構成図
【図２】同実施の形態１における無線プロジェクタの内部構成図
【図３】同実施の形態１における無線プロジェクタの動作説明図
【図４】同実施の形態１における無線プロジェクタを使用した構成図
【図５】同実施の形態１における無線プロジェクタのＯＳＤ表示画面例を示す図
【図６】従来の無線プロジェクタを使用した構成図
【図７】従来の無線プロジェクタを使用した構成図
【図８】従来の無線プロジェクタを使用した構成図
【符号の説明】
【００４１】
１，１００，４００  画像信号装置
２，３，２００，３００  無線プロジェクタ
１１，１０１，４０１  画像信号装置の無線到達範囲
２１，３１，２０１，３０１  無線プロジェクタの無線到達範囲
４  スクリーン
２２  無線通信処理手段
２３  切替手段
２４  アクセスポイント機能部
２５  クライアント機能部
２６  制御手段
２７  ＯＳＤ表示手段
２８  入力手段
【図１】
2010187168.tif 000003
【図２】
2010187168.tif 000004
【図３】
2010187168.tif 000005
【図４】
2010187168.tif 000006
【図５】
2010187168.tif 000007
【図６】
2010187168.tif 000008
【図７】
2010187168.tif 000009
【図８】
2010187168.tif 000010